(57)【要約】      （修正有）【課題】斬新性を有するとともに遊戯者の技量巾に対応できる標的移動型射的装置を提供する。【解決手段】床面上に立設された壁面に沿って水平に設けられた上部開放細長中空体による的ガイドフレームを設け、モーター駆動にて該的ガイドフレーム内を循環移動する的受けを設けるとともに、該的受けに立設載置される標的を設け、この標的への外部衝撃にて的受けより標的が落下するよう構成したことを特徴とする。【選択図】図２
0003200177.tif 000002
【実用新案登録請求の範囲】
【請求項１】
床面上に立設された壁面に沿って水平に設けられた上部開放細長中空体による的ガイドフレームを設け、モーター駆動にて該的ガイドフレーム内を循環移動する的受けを設けるとともに、該的受けに立設載置される標的を設け、この標的への外部衝撃にて的受けより標的が落下するよう構成したことを特徴とする標的移動型射的装置。
【請求項２】
的ガイドフレーム内に回転板を設けてなる請求項１記載の標的移動型射的装置。
【請求項３】
モーター回転力を歯車機構にて的受けに伝達するものとした請求項１または２記載の標的移動型射的装置。
【考案の詳細な説明】
【技術分野】
【０００１】  この考案は、標的を平行移動させる機能を有した標的移動型の射的装置に関する。
【背景技術】
【０００２】  従来より、縁日などにて古くから射的が利用されてきたが、本案にて示すように、標的が移動する方式の射的装置は見当たらない。
【考案の概要】
【考案が解決しようとする課題】
【０００３】  既述のように、射的は以前より利用されてきた。従来からの射的は、複数の的台の上に標的（以下、的と略称する）をいくつも並べ、遊技者はこの的台より所定距離を有した場所から、主にコルク弾を用いた専用の銃にて的に狙いを定めて弾を発射し、弾がうまく的に当たるとこの的が的台から落下し、その落下した的に対応する景品をもらうものである。
しかし、台上に置かれた的に弾を当てるだけのゲームであるために、遊技技量の上達による楽しさは限定的であった。
本案は以上に鑑み、的を循環的に平行移動させて、この移動する的を打ち落とすことにて、従来にない面白さとともに技量上達の巾を有する、新規かつ有用なる射的装置を提供することを目的として発案されたものである。
【課題を解決するための手段】
【０００４】  課題を解決する手段として本案は以下の構成とした。
すなわち、床面上に立設された壁面に沿って水平に設けられた上部開放細長中空体による的ガイドフレームを設け、モーター駆動にて該的ガイドフレーム内を循環移動する的受けを設けるとともに、該的受けに立設載置される標的を設け、この標的への外部衝撃にて的受けより標的が落下するよう構成する。
本案は以上の構成よりなる標的移動型射的装置である。
【考案の効果】
【０００５】  本案によれば、的が移動する状態における的を狙っての射的となるために、従来の的の単純載置スタイルの射的に比べてより高度の技量を必要とする射的ゲームを得ることができる。また、的を複数段有して設け、上下における的の移動方向や速度を可変とすることにて、より変化に富みかつ技量上達巾を有した新規な射的ゲームを提供することができる。
【図面の簡単な説明】
【０００６】
【図１】  本考案の使用状態における全体斜視説明図
【図２】  本考案の使用状態における全体構成説明図（側面視）
【図３】  本考案の要部構造説明図
【図４】  本考案の要部構造説明図
【図５】  本考案の要部構造説明図
【図６】  本考案の的落下説明図
【考案を実施するための最良の形態】
【０００７】  以下、本考案の実施形態について説明する。
図において、１は射的場で、図案を表現した背景壁２とこの背景壁に直交連続する側壁３を有し、背景壁前方には本考案による射的装置１０が上下三段に設けられている。
この射的装置はその両端は側壁外に位置して、遊技者からは隠蔽されている。
また、側壁には空隙４が設けられて、本装置の通過部となる。５はカウンターで、射的装置と所定距離を有して位置し、このカウンター越しに遊技者が射的を行う。
本案の射的装置は以下の構成による。【０００８】  １１は的ガイドフレームで、上方開放の断面略コ字形の中空体であって、前記背景壁よりやや長く形成され、その両端は空隙４を介して背景壁外側に位置する。１２は板状の主ステーであって、その一端は背景壁に取り付けられ、他端は的ガイドフレーム側面に固定されている。１３は金属棒体を主とした副ステーで、その一端は主ステー上方の背景壁に他端は主ステー端部近傍側面に斜方に固定される。また、最下段の射的装置は射的場床面に立設される主柱１４にて支えられる。以上の各ステー及び主柱にて的ガイドフレームの位置が固定され定まる。
的ガイドフレーム内には的受け１５が移動可能に設けられる。この的受けは、図３にて示すように、挿入孔１６を有する板体であって、その一側面には歯部１７が形成され、複数個の的受けは接続板１８の軸支にて各々接続されている。【０００９】  的ガイドフレーム内底部には、断面コ字形の回転板受け１９が固定され、小円板形の回転板２０が図５のごとく軸２１にて回動可能に軸支され、この回転板は所定間隔にて複数個が的ガイドフレーム内に位置し、前記的受けはこの回転板に接して移動が可能である。
３０は駆動モーターで、減速機構を内蔵しており、モーター軸にスポーク３１を介して駆動ギア３２が設けられ、この駆動ギアに的受けの歯部がかみ合っている。
３３は的である。この的は例えば動物形の的板３４の下方に２本の支柱３５を設け、この支柱下部に下板３６を取り付けて支柱下部をこの下板下方に突出させた構造で、この突出部分が前記的受けの挿入孔１６に挿入されて、的受け上に的が立設載置される。【００１０】  以上の構成から、的ガイドフレーム両端外方すなわち空隙４の外側に位置する二個の駆動モーター間に的受けが駆動ギアにかみ合って張設され、このモーター駆動にて的受けが的ガイドフレーム内を移動し、この移動にて的が移動する仕組みが構成される。図２にて示すように、背景壁前方を通過した的は、この背景壁の裏側を通る。この裏側通過時は図４にて示すように、背景壁裏面に支板２２が固定され、この支板上にＬ形的ガイドフレーム２３が設けられ、前記の的受けは前記同様の回転板上を滑らかに移動し、この移動中に係員が的受けに的を挿入するなどの準備を行う。
遊戯者はカウンター越しに的を狙って弾や矢を発射し、的に当たると的は的受けから外れて落下する。本例では射的装置を上下三段に設け、各段によりその移動方向と移動速度を可変可能なものとした。すなわち、最上段は平面視時計回り高速とし、中段は平面視反時計回り中速、最下段は平面視時計回り低速とすることにて、遊戯者は自分の技量に適した段を選んで遊戯することができ、あるいは最初は最下段の的を狙い、徐々に上の段へ移行して遊戯するなど、変化に富んだ射的を楽しむことができる。【００１１】  以上、本案について説明したが、本案は的を移動させて、この移動中の的を狙って弾を発射するところにその特徴がある。既述のように従来は固定台上に載置された的を狙っての射的であって、変化に乏しくまた技量上達への対応も不足したゲームであったが、本案ではこの的を移動させて、移動中の的を狙っての射的となり、例えば上下に設けた複数段の的を、その移動方向や速度を変化させることにて、上述の問題にも対応できる新規な射的となったのである。なお、図５のように的ガイドフレーム前面に、側面視略三角形状長尺体による突出部３７を設けることにて、この部分に当たる弾を弾き飛ばして損傷を防ぐことができる。また、既例においては回転板を用いた構成としたが、非回転板方式もしくは回転板に代えて長尺レール方式とすることも可能である。【００１２】  図にても示したように、的を狙う手段としては、銃以外に弓矢などを用いることもできる。既例においては、駆動ギアと歯部による動力伝達としたが、Ｖベルトその他の方式による動力伝達としてもよい。的板の形状は任意であり、既例の動物形以外に、戦車、船、飛行機、宇宙人などその設定は自由である。
以上のごとく、本案によって従来にない斬新さ、技量上達巾への対応など種々の利点を有する射的装置を得ることができる。
【符号の説明】
【００１３】  １    射的場
２    背景壁
３    側壁
４    空隙
５    カウンター
１０  射的装置
１１  的ガイドフレーム
１２  主ステー
１３  副ステー
１４  主柱
１５  的受け
１６  挿入孔
１７  歯部
１８  接続板
１９  回転板受け
２０  回転板
２１  軸
２２  支板
２３  Ｌ形的ガイドフレーム
３０  駆動モーター
３１  スポーク
３２  駆動ギア
３３  的
３４  的板
３５  支柱
３６  下板
３７  突出部
３８  照明
【図１】
0003200177.tif 000003
【図２】
0003200177.tif 000004
【図３】
0003200177.tif 000005
【図４】
0003200177.tif 000006
【図５】
0003200177.tif 000007
【図６】
0003200177.tif 000008